(57)【要約】      （修正有）【課題】使い捨て密閉容器の蓋を便利に開栓できる容器蓋オープナー及び容器蓋オープナーが形成されたケースを提供することにある。【解決手段】容器蓋オープナーは前面及び下面が開放され、両側面の下端に内側方向に突出された係止突起１３が形成され、前記係止突起の上に容器のヘッド部が投入される投入部１０と前記投入部と連結される取っ手部２０とから構成され、投入部の内側には、前記容器のヘッド部が全部投入された時、これ以上の投入を阻む遮断膜を設ける。【選択図】図１
2013220853.tif 000002
【特許請求の範囲】
【請求項１】
前面及び下面が開放され、両側面の下端に内側方向に突出された係止突起が形成され、前記係止突起の上に容器のヘッド部が投入される投入部と；
前記投入部と連結される取っ手部と；を含むことを特徴とする容器蓋オープナー。
【請求項２】
前記投入部の内側には、前記容器のヘッド部が全部投入された時、これ以上の投入を阻む遮断膜が設置されることを特徴とする請求項１に記載の容器蓋オープナー。
【請求項３】
前記取っ手部は、後面及び下面が開放され、両側面の下端に内側方向に突出された係止突起が形成され、前記係止突起の上に容器のヘッド部が投入される後面投入部で取り替えられることを特徴とする請求項１に記載の容器蓋オープナー。
【請求項４】
前記後面投入部を折ることができるように前記前面投入部と後面投入部との間に折曲部が形成されることを特徴とする請求項３に記載の容器蓋オープナー。
【請求項５】
ケースと；
前記ケースの下端に設置され、前面及び下面が開放されて、両側面の下端に内側方向に突出された係止突起が形成され、前記係止突起の上に容器のヘッド部が投入される投入部；が形成されることを特徴とする容器蓋オープナーが設置されたケース。
【発明の詳細な説明】
【技術分野】
【０００１】
本発明は容器蓋オープナー及び容器蓋オープナーが形成されたケースに関し、さらに詳しくは、医薬品または化粧品の使い捨て液体容器蓋を容易に開栓できるオープナー及びこのようなオープナーが下面に設置されたケースに関する。
【背景技術】
【０００２】
最近、医薬品または高級化粧品の容器では、内容物の酸化を防ぐために容器の密閉方法に対して様々な研究がなされた。図１はこのような密閉容器の一つである使い捨て容器を示す。前記容器は、容器の入口を塞ぐゴム材質の蓋を有し、前記ゴム蓋上を包むアルミニウムホイル、及びアルミニウムホイルで包まれるプラスチック蓋で構成されている。即ち、三重の栓で構成されていると見ることができる。ここで、アルミニウムホイルはプラスチック蓋の内部に挟まれた状態で固定されていて、使用者が外部のプラスチック蓋を強制的に引き離すと、ゴム材質の蓋を密封していたアルミニウムホイルも一緒に破れながら容器から離れるようになる。
【０００３】
前記のような密閉構造の容器のオープン方式で簡単に使用者の握力によって開封することができる。アルミニウムホイルは金属ではあるが、周りに切れ目ができていて二つの母指に力を加えれば充分に裂くことができる程度である。しかし、老弱者や女性の場合には多少無理がある場合がある。
【０００４】
また、従来よく見られる瓶オープナーを利用することも考えられるが、従来の瓶オープナーはサイズが普通のオープナーより大きいことから、前記使い捨て容器は比較的サイズが小さいため使用するのに適しない。
【発明の概要】
【発明が解決しようとする課題】
【０００５】
本発明は上述した問題点を解決するために案出されたもので、本発明の目的は、使い捨て密閉容器の蓋を便利に開栓できる容器蓋オープナー及び容器蓋オープナーが形成されたケースを提供することにある。
【課題を解決するための手段】
【０００６】
前記のような問題点を解決するために、本発明による容器蓋オープナーは、前面及び下面が開放され、両側面の下端に内側方向に突出された係止突起が形成され、前記係止突起の上に容器のヘッド部が投入される投入部と；前記投入部と連結される取っ手部と；を含むことを特徴とする。
【０００７】
また、前記投入部の内側には、前記容器のヘッド部が全部投入された時、これ以上の投入を阻む遮断膜が設置されることを特徴とする。
【０００８】
また、前記取っ手部は、後面及び下面が開放され、両側面の下端に内側方向に突出された係止突起が形成され、前記係止突起の上に容器のヘッド部が投入される後面投入部で取り替えられることを特徴とする。
【０００９】
また、前記後面投入部を折ることができるように前記前面投入部と後面投入部との間に折曲部が形成されることを特徴とする。
【００１０】
また、前記のような問題点を解決するために、本発明による容器蓋オープナーが形成されたケースは、ケースと；前記ケースの下端に設置され、前面及び下面が開放されて、両側面の下端に内側方向に突出された係止突起が形成され、前記係止突起の上に容器のヘッド部が投入される投入部と；が形成されることを特徴とする。
【発明の効果】
【００１１】
前述したように、本発明によれば、容器蓋を容易に開栓できる長所がある。
【図面の簡単な説明】
【００１２】
【図１】使い捨て容器の斜視図である。
【図２】本発明の好ましい第１実施形態による容器蓋オープナーの斜視図である。
【図３】本発明の好ましい第２実施形態による容器蓋オープナーの斜視図である。
【図４】本発明の好ましい第２実施形態による容器蓋オープナーの折曲部を示す斜視図である。
【図５】本発明の好ましい第３実施形態による容器蓋オープナーが形成されたケースの斜視図である。
【発明を実施するための形態】
【００１３】
以下、図面を参照して本発明を詳しく説明する。各図面に提示された同じ符号は同じ部材を示す。
【００１４】
図２によれば、本発明の好ましい実施形態による容器蓋オープナーは、投入部１０と、取っ手部２０とを含んでいる。
【００１５】
前記投入部１０は係止突起１３が形成され、遮断膜１７がさらに含まれることができる。前記投入部は容器のヘッド部が投入される部分で、前面と下面は容器のヘッド部が投入されるように開放されている。上面１５は材料を節約するために一部開放されてもよいが、容器蓋の上部を支持するほどの面積を有することが必要である。容器投入部の材質は金属、プラスチックなど所定硬度を有するものであれば何れも可能であり、廉価で大量生産可能なプラスチックが好ましい。
【００１６】
前記係止突起１３は前記投入部の両側面の下端に内側方向に形成される。係止突起は容器蓋を支持する役割を果たすもので、必ず連続される必要はないが、容器のヘッド部が容易に投入され、蓋を開栓する時良好に支持できるように延長された方が良い。好ましくは、「Ｕ」字状に連結されて、容器ヘッド部をガイドし、容器ヘッド部が投入されると、これ以上進入されないように阻む方が良い。
【００１７】
遮断膜１７は容器のヘッド部がこれ以上進入できないように阻む膜である。容器のヘッド部が不必要に多く投入される必要がないので、適当な地点で容器のヘッド部を阻む役割を果たす。
【００１８】
取っ手部２０は使用者が携帯したり、前記投入部１０に容器が投入された時握力を加える部位である。便利に携帯または使用するように多様に設計することができる。材料を節約するために内部は中空にし、強度を維持するために補強材を格子状に設置すれば良い。
【００１９】
図３は本発明の好ましい第２実施形態の容器蓋オープナーの斜視図である。図３を利用して本発明の好ましい第２実施形態の容器蓋オープナーを説明する。
【００２０】
本発明の好ましい第２実施形態の特徴は、取っ手部が第１実施形態の投入部で取り替えられることである。即ち、前記発明は前面部と後面部にそれぞれ容器が投入される投入部が構成される。この場合、後面投入部３０は投入部１０に比べて小さく、または大きくして、少なくとも二種類の容器蓋を開栓できるようにする。
【００２１】
図４は第２実施形態による容器蓋オープナーにおいて折曲部４０を示している。折曲部によって後面投入部が折曲されるとより便利に携帯することができる。
【００２２】
図５は本発明の好ましい第３実施形態の容器蓋オープナーが形成されたケースの斜視図である。図５を利用して第３実施形態を説明する。
【００２３】
第３実施形態は容器蓋オープナーがケースに設置された例で、この場合、容器の内容物はコンタクトレンズに係わる液体（洗浄液）などであり、ケースはコンタクトレンズまたは容器ケースのような場合に有用である。
【００２４】
ケース５０の下面６１に投入部６０が設置される。
【００２５】
前記投入部６０は係止突起が形成され、遮断膜がさらに含まれることができる。前記投入部は容器のヘッド部が投入される部位で、前面と下面は容器のヘッド部が投入されるように開放されている。容器投入部の材質は金属、プラスチックなど所定硬度を有するものであれば何れも可能であるが、廉価で大量生産可能なプラスチックが好ましい。前記係止突起は前記投入部の両側面の下端に内側方向に形成される。係止突起は容器蓋を支持する役割を果たすもので、必ず連続される必要はないが、容器のヘッド部が容易に投入され、蓋を開栓する時良好に支持できるように延長されることが好ましい。好ましくは、「Ｕ」字状に連結されて容器ヘッド部をガイドし、容器ヘッド部が投入されるとこれ以上進入できないようにした方が良い。遮断膜は容器のヘッド部がこれ以上進入されないように阻む膜である。容器のヘッド部が不必要にたくさん投入される必要がないので、適当な地点で容器のヘッド部を阻む役割を果たす。
【００２６】
図面と明細書に最適な実施形態が開示された。ここで、特定の用語を用いたが、これはただ本発明を説明するための目的で用いられたもので、意味の限定や特許請求の範囲に記載された本発明の範囲を制限するために用いられたものではない。また、本技術分野において通常の知識を有する者であれば、これから多様な変形及び均等な他の実施形態が可能であることは理解すべきである。従って、本発明の真の技術的保護範囲は添付された特許請求の範囲の技術的思想によって定められるべきである。
【符号の説明】
【００２７】
１０  投入部  
１３  係止突起
１７  遮断膜  
２０  取っ手部
３０  後面投入部  
４０  折曲部
５０  ケース  
６０  投入部
【図１】
2013220853.tif 000003
【図２】
2013220853.tif 000004
【図３】
2013220853.tif 000005
【図４】
2013220853.tif 000006
【図５】
2013220853.tif 000007